(57)【要約】      （修正有）【課題】灌水パイプの配設状態にかかわらず、その灌水パイプを基準とした灌水範囲を極力拡げると共に、植物の根腐れを防止できる緑化用パネルを提供する。【解決手段】緑化用パネル上面に灌水パイプ収納溝４Ａ，４Ｂが土収納溝７Ａ，７Ｂに交差しつつ横切るように形成され、その灌水パイプ収納溝４Ａ，４Ｂ内が、灌水パイプ収納溝４Ａ，４Ｂと土収納溝７Ａ，７Ｂとの交差部において、土収納溝７Ａ，７Ｂ内に臨むように形成されている。土収納溝７Ａ，７Ｂの内底面１３Ａ，１３Ｂには排出孔９が開口され、灌水パイプ収納溝４Ａ，４Ｂの内底面４Ａａ，４Ｂａが排出孔９よりも高い位置に位置されている緑化用パネルである。【選択図】図３
2012010671.tif 000002
【特許請求の範囲】
【請求項１】
基板部上に複数の嵩上げ部が上方に突出した状態で一体的に設けられ、該複数の嵩上げ部の隣り合う側面により植栽基盤材を収納するための植栽基盤材収納部が区画されている緑化用パネルにおいて、
上面に、灌水パイプを収納するための灌水パイプ収納溝が前記植栽基盤材収納部に交差しつつ前記基板部を横切るように形成され、
前記灌水パイプ収納溝内が、該灌水パイプ収納溝と前記植栽基盤材収納部との交差部において、該植栽基盤材収納部内に臨むように形成され、
前記植栽基盤材収納部の内底面に、前記基板部の下面側に連通する排出孔が開口され、
前記灌水パイプ収納溝の内底面が、前記排出孔よりも高い位置に位置されている、
ことを特徴とする緑化用パネル。
【請求項２】
請求項１において、
前記植栽基盤材収納部が、溝状に形成されて、前記灌水パイプ収納溝と前記排出孔との間に掛け渡されるように延び、
前記植栽基盤材収納部の内底面が、前記灌水パイプ収納溝から前記排出孔に向うに従って低くなるように傾斜されている、
ことを特徴とする緑化用パネル。
【請求項３】
請求項２において、
前記基板部が、平面視略四角形状に形成され、
前記灌水パイプ収納溝が、前記基板部における一方の組の対向する辺部間を横切るように延び、
前記排出孔が、前記他方の組の対向する辺部側にそれぞれ位置され、
前記植栽基盤材収納部が、前記基板部上に前記一方の組の対向する辺部に略平行となるように複数形成され、
前記各植栽基盤材収納部が、前記灌水パイプ収納溝と前記各排出孔との間にそれぞれ掛け渡されている、
ことを特徴とする緑化用パネル。
【請求項４】
請求項２において、
前記基板部が、平面視略正方形状に形成され、
前記灌水パイプ収納溝が、前記基板部における一方の組の対向する辺部間をその辺部の延び方向略中央において横切るように延びる第１灌水パイプ収納溝と、該基板部における他方の組の対向する辺部間をその辺部の延び方向略中央において横切るように延びる第２灌水パイプ収納溝と、を備え、
前記排出孔が、前記第１灌水パイプ収納溝を基準として、前記他方の組の対向する辺部側に位置される第１排出孔と、前記第２灌水パイプ収納溝を基準として、前記一方の組の対向する辺部側に位置される第２排出孔と、を備え、
前記植栽基盤材収納部が、前記基板部上に前記一方の組の対向する辺部に略平行となるように形成されて前記第１灌水パイプ収納溝と前記各第１排出孔との間に掛け渡される第１植栽基盤材収納部と、前記基板部上に前記他方の組の対向する辺部に略平行となるように形成されて前記第２灌水パイプ収納溝と前記各第２排出孔との間に掛け渡される第２植栽基盤材収納部と、を備えている、
ことを特徴とする緑化用パネル。
【請求項５】
請求項１において、
前記灌水パイプ収納溝の内底面が、前記植栽基盤材収納部の内底面に対して段差をもって高くなっている、
ことを特徴とする緑化用パネル。
【請求項６】
請求項５において、
前記植栽基盤材収納部の内底面が、前記排出孔に近づくに従って低くなっている、
ことを特徴とする緑化用パネル。
【請求項７】
請求項５又は６において、
前記植栽基盤材収納部に、ポット状の植物を収納するための略円筒状のポット植物収納部が形成されている、
ことを特徴とする緑化用パネル。
【請求項８】
請求項１において、
前記基板部の下面に、方向を異にする複数の排出溝が交差するように形成され、
前記複数の排出溝の交差部分に前記排出孔が開口され、
前記各排出溝の溝端が、前記基板部の周面から外方に向けて開口されている、
ことを特徴とする緑化用パネル。
【請求項９】
請求項１において、
前記植栽基盤材収納部が、複数設けられ、
前記排出孔が、前記各植栽基盤材収納部の内底面にそれぞれ開口され、
前記基板部の下面に複数の排出溝が、該各排出溝の溝端が前記基板部の周面から外方に向けて開口するようにそれぞれ形成され、
前記各排出孔が、前記各排出溝内にそれぞれ開口され、
前記基板部の下面に、前記各排出溝同士を互いに連絡する連絡溝が形成されている、
ことを特徴とする緑化用パネル。
【請求項１０】
請求項８又は９において、
前記基板部の下面周縁部に切り欠き状の切り欠き段部が形成され、
前記切り欠き段部内に、前記各排出溝の溝端が臨んでいる、
ことを特徴とする緑化用パネル。
【請求項１１】
屋上の設置面上に複数の請求項１に係る緑化用パネルが、該各請求項１に係る緑化用パネルにおける灌水パイプ収納溝が連続するように敷設され、
前記連続する複数の灌水パイプ収納溝内に、灌水パイプが跨るようにして収納され、
前記各緑化パネルの植栽基盤材収納部内及び前記連続する複数の灌水パイプ収納溝内に植栽基盤材が充填されている、
ことを特徴とする屋上緑化構造。
【発明の詳細な説明】
【技術分野】
【０００１】
本発明は、屋上の緑化を図るために用いられる緑化用パネル及びその緑化用パネルを用いた屋上緑化構造に関する。
【背景技術】
【０００２】
近年、複数の緑化用パネルを用いて屋上の緑化（植物の栽培）を図り、屋上からの熱の吸収、放出を緩和することが行われている。この緑化用パネルとしては、特許文献１に示すように、基板部上に複数の嵩上げ部を上方に突出した状態で一体的に設け、該複数の嵩上げ部の隣り合う側面により植栽基盤材（土壌等）を収納するための植栽基盤材収納部を格子状に区画するものが提案されている。このものにおいては、植栽基盤材を、主として限られた植栽基盤材収納部内に充填して使用することから、嵩上げ部に相当する分の植栽基盤材を減らすことができる。このため、この緑化用パネルを用いた場合には、基盤が植栽基盤材のみで構成されている場合に比べて、屋上の設置面に作用する荷重を著しく減少させることができる。
【０００３】
ところで、上記緑化用パネルを用いた屋上緑化構造においては、緑化用パネルを屋上の設置面に敷き詰めるに際し、連続することになる植栽基盤材収納部の一方の向き（格子状の一方の植栽基盤材収納部の向き）を屋上設置面の水勾配（屋上設置面に形成される水排出の勾配（例えば１〜２度））に沿うようにし、灌水パイプを、その水勾配に沿う方向（縦方向）に対して直交する方向（横方向）に延びるように配設することとされている。この屋上緑化構造の下で灌水パイプにより灌水を行えば、その水は、屋上設置面の水勾配に沿う方向に連続する植栽基盤材収納部（縦方向に延びる植栽基盤材収納部）に案内されて下方側に流れる（浸透）ことになり、灌水パイプを基準とした灌水範囲を屋上設置面の水勾配に沿う方向に拡げることができると共に、過剰な貯水に基づき、植栽基盤材収納部（植栽基盤材）内で育成する植物が根腐れを起こすことを防止できる。
【先行技術文献】
【特許文献】
【０００４】
【特許文献１】特開２００８−１７８５０号公報
【発明の概要】
【発明が解決しようとする課題】
【０００５】
しかし、屋上設置面の状態等によっては、必ずしも灌水パイプを屋上設置面においてその水勾配に沿う方向に直交する方向に延びるように配設することはできず、例えば、灌水パイプを屋上設置面の水勾配に沿う方向に延びるように配置しなければならない場合がある。このような場合には、灌水パイプからの水が、屋上設置面においてその水勾配に沿う方向に直交する方向に延びる植栽基盤材収納部に供給されるものの、その水に屋上設置面の水勾配に基づく力が働くことから、灌水パイプを基準としてあまり遠くまで流れる（浸透する）ことはできず、そこに水が過剰に貯水されるおそれがある。このため、灌水パイプを屋上設置面の水勾配に沿う方向に延びる配置とする場合には、灌水パイプを基準とした灌水範囲が狭くなるばかりか、植栽基盤材収納部（植栽基盤材）内で育成する植物が根腐れを起こすおそれがある。
【０００６】
本発明は以上のような事情を勘案してなされたもので、その第１の技術的課題は、灌水パイプの配設状態にかかわらず、その灌水パイプを基準とした灌水範囲を極力拡げると共に、植物の根腐れを防止できる緑化用パネルを提供することにある。
第２の技術的課題は、上記緑化用パネルを用いた屋上緑化構造を提供することにある。
【課題を解決するための手段】
【０００７】
前記第１の技術的課題を達成するために本発明（請求項１に係る発明）にあっては、
基板部上に複数の嵩上げ部が上方に突出した状態で一体的に設けられ、該複数の嵩上げ部の隣り合う側面により植栽基盤材を収納するための植栽基盤材収納部が区画されている緑化用パネルにおいて、
上面に、灌水パイプを収納するための灌水パイプ収納溝が前記植栽基盤材収納部に交差しつつ前記基板部を横切るように形成され、
前記灌水パイプ収納溝内が、該灌水パイプ収納溝と前記植栽基盤材収納部との交差部において、該植栽基盤材収納部内に臨むように形成され、
前記植栽基盤材収納部の内底面に、前記基板部の下面側に連通する排出孔が開口され、
前記灌水パイプ収納溝の内底面が、前記排出孔よりも高い位置に位置されている構成とされている。この請求項１の好ましい態様としては、請求項２〜１０の記載の通りとなる。
【０００８】
前記第２の技術的課題を達成するために本発明（請求項１１に係る発明）にあっては、
屋上の設置面上に複数の請求項１に係る緑化用パネルが、該各請求項１に係る緑化用パネルにおける灌水パイプ収納溝が連続するように敷設され、
前記連続する複数の灌水パイプ収納溝内に、灌水パイプが跨るようにして収納され、
前記各緑化パネルの植栽基盤材収納部内及び前記連続する複数の灌水パイプ収納溝内に植栽基盤材が充填されている、
ことを特徴とする屋上緑化構造とした構成とされている。
【発明の効果】
【０００９】
本発明（請求項１に係る発明）によれば、当該緑化用パネルを、その灌水パイプ収納溝に灌水パイプを収納して屋上設置面に設置した場合には、灌水パイプ収納溝の内底面が排出孔よりも高い位置に位置されていることに基づき、灌水パイプから供給される水は、灌水パイプの配設状態にかかわらず、植栽基盤部収納部内を排出孔に向けて積極的に流動（浸透）することになり、その間、その水は、植栽基盤部収納部内に収納される植栽基盤材に的確に供給され、余分な水は排出孔から排出される。このため、灌水パイプの配設状態にかかわらず、その灌水パイプを基準とした灌水範囲を極力拡げると共に、水が植栽基盤材収納部内に過剰に貯水されて植物が根腐れを起こすことを防止できる。
【００１０】
請求項２に係る発明によれば、植栽基盤材収納部が、溝状に形成されて、灌水パイプ収納溝と排出孔との間に掛け渡されるように延び、植栽基盤材収納部の内底面が、灌水パイプ収納溝から排出孔に向うに従って低くなるように傾斜されていることから、具体的に、前記請求項１と同様の作用効果を得ることができる。
【００１１】
請求項３に係る発明によれば、基板部が平面視略四角形状に形成されていることに基づき、当該緑化用パネルを屋上設置面上に容易に敷き詰めることができるだけでなく、その緑化用パネルの敷き詰めにより各緑化用パネルにおける灌水パイプ収納溝を簡単に連続させることができ、その連続する複数の灌水パイプ収納溝に１本の灌水パイプを収納することができる。このため、１本の灌水パイプにより複数の緑化用パネルを屋上設置面に対して押さえ付けることができるばかりか（緑化用パネルの保持に貢献）、灌水構造及びその施工の簡素化を図ることができる。
また、排出孔が、他方の組の対向する辺部側にそれぞれ位置され、植栽基盤材収納部が、基板部上に一方の組の対向する辺部に略平行となるように複数形成され、各植栽基盤材収納部が、灌水パイプ収納溝と前記各排出孔との間にそれぞれ掛け渡されていることから、灌水パイプ収納溝を基準として両側に植栽基盤材収納部をそれぞれ延ばして、灌水範囲を極力拡げることができる。
【００１２】
請求項４に係る発明によれば、基板部が、平面視略正方形状に形成され、灌水パイプ収納溝が、基板部における一方の組の対向する辺部間をその辺部の延び方向略中央において横切るように延びる第１灌水パイプ収納溝と、基板部における他方の組の対向する辺部間をその辺部の延び方向略中央において横切るように延びる第２灌水パイプ収納溝と、を備え、排出孔が、第１灌水パイプ収納溝を基準として、他方の組の対向する辺部側に位置される第１排出孔と、第２灌水パイプ収納溝を基準として、一方の組の対向する辺部側に位置される第２排出孔と、を備え、植栽基盤材収納部が、基板部上に一方の組の対向する辺部に略平行となるように形成されて第１灌水パイプ収納溝と各第１排出孔との間に掛け渡される第１植栽基盤材収納部と、基板部上に他方の組の対向する辺部に略平行となるように形成されて第２灌水パイプ収納溝と各第２排出孔との間に掛け渡される第２植栽基盤材収納部と、を備えていることから、屋上設置面上に当該緑化用パネルを敷き詰めるに際して、既に敷設された緑化用パネル（隣り合うことになる緑化用パネル）の灌水パイプ収納溝（第１又は第２灌水パイプ収納溝）に対して、当該緑化用パネルの第１灌水パイプ収納溝でも、第２灌水パイプ収納溝でも連続させることができることになり、当該緑化用パネルを、敷設の向きを考慮することなく（第１又は第２灌水パイプ収納溝を用いるか否かを考慮することなく）、施工面上に敷き詰めることができる。このため、当該緑化用パネルの敷設作業の容易化を図ることができる。
また、前記請求項３の場合同様、灌水パイプ収納溝を基準として両側に植栽基盤材収納部をそれぞれ延ばして、灌水範囲を極力拡げることができる。
【００１３】
請求項５に係る発明によれば、灌水パイプ収納溝の内底面が、植栽基盤材収納部の内底面に対して段差をもって高くなっていることから、前述の請求項１と同様の作用効果を具体的に得ることができる。
【００１４】
請求項６に係る発明によれば、植栽基盤材収納部の内底面が、排出孔に近づくに従って低くなっていることから、植栽基盤材収納部における内底面の傾斜によっても、灌水パイプからの水を排出孔に導くことができ、灌水パイプを基準とした灌水範囲の拡大と植物の根腐れ防止とを、確実に図ることができる。
【００１５】
請求項７に係る発明によれば、植栽基盤材収納部に、ポット状の植物を収納するための略円筒状のポット植物収納部が形成されていることから、予め決められたポット植物の収納位置に基づき、見栄えがよい植物の配置を実現できる。
【００１６】
請求項８に係る発明によれば、基板部の下面に、方向を異にする複数の排出溝が交差するように形成され、複数の排出溝の交差部分に排出孔が開口され、各排出溝の溝端が、基板部の周面から外方に向けて開口されていることから、余分な水を複数の排出溝により基板部周面の外方に排水できることになり、排水を円滑に行うことができる。
【００１７】
請求項９に係る発明によれば、植栽基盤材収納部が、複数設けられ、排出孔が、各植栽基盤材収納部の内底面にそれぞれ開口され、基板部の下面に複数の排出溝が、各排出溝の溝端が基板部の周面から外方に向けて開口するようにそれぞれ形成され、各排出孔が、各排出溝内にそれぞれ開口され、基板部の下面に、各排出溝同士を互いに連絡する連絡溝が形成されていることから、植栽基盤材収納部及び排出孔が複数設けられている場合においても、複数の排出溝及び連絡溝により、余分な水を外部に円滑に排水することができる。
【００１８】
請求項１０に係る発明によれば、基板部の下面周縁部に切り欠き状の切り欠き段部が形成され、切り欠き段部内に各排出溝の溝端が臨んでいることから、隣り合う緑化用パネルが互いの切り欠き段部により排水通路を形成することになり、余分な水は、各緑化用パネルにおける周囲の排水通路によっても外部に排水されることになる。このため、排水性能を高めることができる。
【００１９】
本発明（請求項１１に係る発明）によれば、請求項１に係る緑化用パネルを敷設等して構成されることになり、請求項１に係る緑化用パネルを用いた屋上緑化構造を提供できる。
【図面の簡単な説明】
【００２０】
【図１】第１実施形態に係る緑化用パネルを上面側から示す斜視図。
【図２】第１実施形態に係る緑化用パネルを下面側から示す斜視図。
【図３】第１実施形態に係る緑化用パネルの構造を説明する説明図。
【図４】第１実施形態に係る緑化用パネルを用いた屋上緑化構造を説明する説明図。
【図５】第１実施形態に係る緑化用パネルを用いた屋上緑化構造を示す縦断面図。
【図６】第１実施形態に係る屋上緑化構造において、横方向に延びる連続溝に灌水パイプを収納したときにおける水の流れを説明する拡大説明図。
【図７】第１実施形態に係る屋上緑化構造の変形態様（縦方向に延びる連続溝に灌水パイプを収納した態様）を説明する説明図。
【図８】第１実施形態に係る屋上緑化構造において、縦方向に延びる連続溝に灌水パイプを収納したときにおける水の流れを説明する拡大説明図。
【図９】第２実施形態に係る緑化用パネルを上面側から示す斜視図。
【図１０】第２実施形態に係る緑化用パネルを下面側から示す斜視図。
【図１１】第２実施形態に係る緑化用パネルを示す平面図。
【図１２】図１１のＸ１２−Ｘ１２線断面図。
【図１３】隣り合う緑化用パネルにおける切り欠き段部により排出通路が形成されることを説明する説明図。
【図１４】第２実施形態に係る緑化用パネルを用いた屋上緑化構造を説明する説明図。
【図１５】１ｍ2当たりのポット植物数の一例を示す平面図。
【図１６】１ｍ2当たりのポット植物数の他の例を示す平面図。
【図１７】１ｍ2当たりのポット植物数のさらに他の例を示す平面図。
【図１８】１ｍ2当たりのポット植物数のさらに他の例を示す平面図。
【発明を実施するための形態】
【００２１】
第１実施形態を示す図１〜図８において、符号１は、屋上のスラブ面に設置される屋上緑化構造に用いられる第１実施形態に係る緑化用パネル１を示す。緑化用パネル１は、本実施形態においては、発泡樹脂である発泡プロピレン樹脂や、発泡ポリエチレン樹脂等を用いて樹脂成形体として一体成形されており、その緑化用パネル１は、平面視略正方形状をもって所定厚みをなしている。具体的には、周囲の一辺が５００ｍｍ程度、厚みが５０ｍｍ程度とされている。この緑化用パネル１は、基板部２上に複数の嵩上げ部３が上方に突出した状態で一体的に設けられている。基板部２は、緑化用パネル１の下側部分を構成しており、その形状は、緑化用パネル１の外周縁形状を決めるべく、平面視略正方形状とされている。複数の嵩上げ部３は、本実施形態においては、基板部２上面の周縁部に設けられる周縁嵩上げ部３Ａと、その周縁嵩上げ部３Ａの内側に配置される内側嵩上げ部３Ｂと、からなる。周縁嵩上げ部３Ａは、略一定幅をもって、基板部２（上面）の略全周に亘って配置されており、その高さ（嵩上げ量）は一定とされている。内側嵩上げ部３Ｂは、周縁嵩上げ部３Ａの内側側面３Ａａが区画する区画面よりも縮径された状態で平面視略正方形状に形成されており、この内側嵩上げ部３Ｂの高さ（嵩上げ量）は、前記周縁嵩上げ部３Ａの高さと等しくされている。
【００２２】
前記緑化用パネル１の上面には、図１，図３に示すように、灌水パイプ収納溝としての第１灌水パイプ収納溝４Ａが形成されている。第１灌水パイプ収納溝４Ａは、基板部２における一方の組の対向する辺部５間をその辺部５の延び方向略中央において横切るように延びており、その第１灌水パイプ収納溝４Ａの各溝端は、緑化用パネル１の肉厚面（周縁嵩上げ部３Ａの外側側面）から外方にそれぞれ開口されている。これにより、第１灌水パイプ収納溝４Ａは、前記周縁嵩上げ部３Ａ及び内側嵩上げ部３Ｂを、その第１灌水パイプ収納溝４Ａの溝幅方向両側にそれぞれ分割することになる。
【００２３】
前記周縁嵩上げ部３Ａの内側側面３Ａａと前記内側嵩上げ部３Ｂの外側側面３Ｂａとの間には、図１，図３に示すように、前記第１灌水パイプ収納溝４Ａの延び方向両側において、第１植栽基盤材収納部としての第１土収納溝７Ａａ１，７Ａａ２，７Ａｂ１，７Ａｂ２が形成されている。第１土収納溝７Ａａ１，７Ａａ２，７Ａｂ１，７Ａｂ２は、第１灌水パイプ収納溝４Ａの延び方向両側において、一方の組の対向する辺部５に略平行となるようにしつつ、他組の対向する辺部６のそれぞれに向けて延びており、その各第１土収納溝７Ａａ１（７Ａａ２，７Ａｂ１，７Ａｂ２）の延び端は、緑化用パネル１の肉厚面から開口せず、その緑化用パネル１の隅部に到達するにとどまっている。この場合、第１土収納溝７Ａａ１，７Ａａ２，７Ａｂ１，７Ａｂ２と第１灌水パイプ収納溝４Ａとの交差部分は、互いが連なるようになっており、第１灌水パイプ収納溝４Ａ内が第１土収納溝７Ａａ１，７Ａａ２，７Ａｂ１，７Ａｂ２内に臨むことになっている。
【００２４】
前記緑化用パネル１の上面には、図１，図３に示すように、灌水パイプ収納溝としての第２灌水パイプ収納溝４Ｂが形成されている。第２灌水パイプ収納溝４Ｂは、基板部２における他組の対向する辺部６間をその辺部６の延び方向略中央において横切るように延びており、その第２灌水パイプ収納溝４Ｂの各溝端は、緑化用パネル１の肉厚面（周縁嵩上げ部３Ａの外側側面）から外方にそれぞれ開口されている。これにより、第２灌水パイプ収納溝４Ｂは、前記周縁嵩上げ部３Ａ及び内側嵩上げ部３Ｂをその第２灌水パイプ収納溝４Ｂの溝幅方向両側にそれぞれ分割することになり、結局、前述の第１灌水パイプ収納溝４Ａによる分割を合わせると、前述の周縁嵩上げ部３Ａ及び内側嵩上げ部３Ｂは、それぞれ４つの分割嵩上げ部に分割されることになる。
【００２５】
前記周縁嵩上げ部３Ａの内側側面３Ａａと前記内側嵩上げ部３Ｂの外側側面３Ｂａとの間には、図１，図３に示すように、前記第２灌水パイプ収納溝４Ｂの延び方向両側において、第２植栽基盤材収納部としての第２土収納溝７Ｂａ１，７Ｂａ２，７Ｂｂ１，７Ｂｂ２が形成されている。第２土収納溝７Ｂａ１，７Ｂａ２，７Ｂｂ１，７Ｂｂ２は、第２灌水パイプ収納溝４Ｂの延び方向両側において、他組の対向する辺部６に略平行となるようにしつつ、一方の組の対向する辺部５のそれぞれに向けてそれぞれ延びており、その各第２土収納溝７Ｂａ１，７Ｂａ２，７Ｂｂ１，７Ｂｂ２の延び端は、緑化用パネル１の肉厚面から開口せず、その緑化用パネル１の隅部に到達するにとどまっている。
この場合、第１土収納溝７Ａａ１と第２土収納溝７Ｂａ１、第１土収納溝７Ａａ２と第２土収納溝７Ｂｂ１、第１土収納溝７Ａｂ１と第２土収納溝７Ｂａ２、第１土収納溝７Ａｂ２と第２土収納溝７Ｂｂ２が、その各延び端部において交差している。またこの場合、第２土収納溝７Ｂａ１，７Ｂａ２，７Ｂｂ１，７Ｂｂ２と第２灌水パイプ収納溝４Ｂとの交差部分は、互いが連なっており、第２灌水パイプ収納溝４Ｂ内が第２土収納溝７Ｂ内に臨むことになっている。
【００２６】
前記第１土収納溝７Ａａ１，７Ａａ２，７Ａｂ１，７Ａｂ２と前記第２土収納溝７Ｂａ１，７Ｂａ２，７Ｂｂ１，７Ｂｂ２との各交差部（内底面）には、図１，図３に示すように、排出孔９がそれぞれ開口されている。各排出孔９は、同じ構成とされており、その各排出孔９は、第１土収納溝７Ａａ１，７Ａａ２，７Ａｂ１，７Ａｂ２内、第２土収納溝７Ｂａ１，７Ｂａ２，７Ｂｂ１，７Ｂｂ２内を基板部２の下面（緑化用パネル１の下面）側に連通させている。この各排出孔９内には、平面視略十字状の支持壁１０が配設され、その支持壁１０上には透水シート１１、環状の押さえ部材１２が順次、配設されている。この場合、透水シート１１は排出孔９の開口を覆うように配設され、押さえ部材１２は、排出孔９に嵌合されており、透水シート１１は支持壁１０と押さえ部材１２とにより挟持（保持）されている。これにより、透水シート１１は、各排出孔９において保持されて、水のみを排出して土等の流失を防止する。
【００２７】
前記第１及び第２灌水パイプ収納溝４Ａ，４Ｂの内底面（基板部２の上面）４Ａａ，４Ｂａは、前記各排出孔９よりも高い位置に位置されている。具体的には、第１灌水パイプ収納溝４Ａの内底面４Ａａ（基板部２の上面）が略水平とされている一方、第１土収納溝（７Ａａ１，７Ａａ２，７Ａｂ１，７Ａｂ２の代表符号として７Ａを用いる）の内底面（基板部２の上面）１３Ａは、第１灌水パイプ収納溝４Ａから排出孔９に向うに従って低くなるように傾斜されている。第２灌水パイプ収納溝４Ｂの内底面４Ｂａ（基板部２の上面）も略水平とされている一方、第２土収納溝（７Ｂａ１，７Ｂａ２，７Ｂｂ１，７Ｂｂ２の代表符号として７Ｂを用いる）の内底面１３Ｂ（基板部２の上面）は、上記第１土収納溝７Ａの内底面１３Ａ同様、第２灌水パイプ収納溝４Ｂから排出孔９に向うに従って低くなるように傾斜されている（図３の断面部分参照）。この第１，第２土収納溝７Ａ，７Ｂの内底面１３Ａ，１３Ｂの傾斜角度は、屋上設置面における水勾配（例えば１〜２度）よりも大きくなっており、屋上設置面に緑化用パネル１を、その排出孔９を第１又は第２灌水パイプ収納溝４Ｂよりも屋上設置面の高い位置側に向けて配置したとしても、そのとき、第１又は第２灌水パイプ収納溝４Ａ，４Ｂの内底面４Ａａ，４Ｂａは、その排出孔９よりも高い位置となることになっている。
【００２８】
前記基板部２の下面（緑化用パネル１の下面）２ｂには、図２に示すように、複数の直線状の排出溝１４が形成されている。各排出溝１４は、基板部２の各辺部５（６）近傍において、その辺部５（６）に沿いつつ延びており、その各排出溝１４の両溝端は、基板部２の対向する肉厚面（周面）から外方に開口されている。この複数の排出溝１４は、基板部２の四隅部において、周回り方向において隣り合う排出溝１４がそれぞれ交差することになっており、その各交差部分（排出溝１４内）に前記各排出孔９がそれぞれ臨んでいる。
【００２９】
尚、図１〜図３中、符号１５ａ，１５ｂは、上記緑化用パネル１を屋上の施工面に固定する際に用いる係止部である。
【００３０】
次に、上記緑化用パネル１を用いた屋上緑化構造について説明する。
図４において、符号１６は、屋上のスラブ面１７に設置される屋上緑化構造を示している。この屋上緑化構造１６は、屋上のスラブ面１７に耐根シート１８が敷かれており、その耐根シート１８上に複数の仕切用レンガ１９を設置することにより、平面視四角形状の施工領域Ｓが区画されている。この場合、各仕切用レンガ１９の下面は、基本的に、スラブ面１７と耐根シート１８（周縁部）とに接着剤を用いて接着され、複数の仕切用レンガ１９の下面側には、施工領域Ｓ内外を連通するための水抜き孔（図示略）が、その複数の仕切用レンガ１９の配設方向に一定間隔毎に形成されている。
【００３１】
前記施工領域Ｓにおける耐根シート１８上には、図４に示すように、複数の前記緑化用パネル１が、縦方向（屋上面の水勾配に沿う方向）Ｙ及び横方向Ｘ（屋上面においてその水勾配に沿う方向に直交する方向）に列をなすようにして敷き詰められている。各緑化用パネル１は、その隣り合うものの側面同士全体が互いに対向した状態で当接されており、各緑化用パネル１における隅部の係止部１５ａ（１５ｂ）は、その周囲に集合される他の緑化用パネル１における隅部の係止部１５ａ（１５ｂ）と共に、係止具２０を用いてスラブ面１７に対して固定されている。これにより、各緑化用パネル１は、屋上のスラブ面１７に保持され、風等により飛ばされることはない。図４中の符号２０ａは、予めスラブ面１７に固定される係止具２０の一部である。また、符号２１は、施工領域Ｓ内に緑化用パネル１だけでは敷き詰めることができない場合に用いる敷き詰め調整用透水マットである。この場合、土等の流失を防止する透水シート２２が、仕切用レンガ１９の内側側面及び透水マット２１の表面等を覆うことになる。
【００３２】
横方向Ｘに並ぶ緑化用パネル１の各列においては、図４に示すように、各緑化用パネル１における第１又は第２灌水パイプ収納溝４Ａ，４Ｂが連なって、横方向Ｘに延びる連続溝２３Ａが縦方向Ｙに所定間隔（例えば５００ｍｍ）毎に構成され、縦方向Ｙに並ぶ緑化用パネル１の各列においては、同図４に示すように、各緑化用パネル１における第１又は第２灌水パイプ収納溝４Ａ，４Ｂが連なって、縦方向Ｙに延びる連続溝２３Ｂが横方向Ｘに所定間隔（例えば５００ｍｍ）毎に構成されている。本実施形態においては、各緑化用パネル１が平面視略正方形状に形成され、その各緑化用パネル１において、第１灌水パイプ収納溝４Ａが、基板部２における一方の組の対向する辺部５間をその辺部５の延び方向略中央において横切るように延び、第２灌水パイプ収納溝４Ｂが、基板部２における他方の組の対向する辺部６間をその辺部６の延び方向略中央において横切るように延びていることから、各緑化用パネル１を、縦列、横列となるように揃えるだけで縦方向Ｙ及び横方向Ｘに延びる連続溝２３Ａ，２３Ｂが形成され、各緑化用パネル１の敷設に際して、第１，第２灌水パイプ収納溝４Ａ，４Ｂを考慮して、各緑化用パネル１の向きを決める必要はない。このため、各緑化用パネル１の敷設作業については容易となっている。
【００３３】
この屋上緑化構造１６においては、図４に示すように、横方向Ｘに延びる各連続溝２３Ａ内に、水を供給する灌水パイプ２４がそれぞれ収納されている。各灌水パイプ２４は、横方向Ｘに並ぶ緑化用パネル１を横切るように延びており、この各灌水パイプ２４により、水が、各緑化用パネル１において縦方向Ｙに延びる土収納溝（第１又は第２土収納溝７Ａ，７Ｂの代表符号として符号７を用いる）、灌水パイプ２４が収納されず縦方向Ｙに延びる各連続溝２３Ｂに対して供給されることになっている（所定間隔毎の水供給孔は図示略）。この灌水パイプ２４としては、ドリップチューブが好ましい。また、灌水パイプ２４により緑化用パネル１をスラブ面１７に押し付けるべく、灌水パイプ２４は、取付け具（図示略）を介してスラブ面１７に固定することが好ましい。
【００３４】
施工領域Ｓ内に敷き詰められた上記各緑化用パネル１においては、図４，図５に示すように、縦方向Ｙ及び横方向Ｘに延びる土収納溝７内及び連続溝２３Ａ，２３Ｂ内に、植栽基盤材としての土２５が充填されていると共に、その上側に、さらに覆土２６が施されている。この覆土２６上には芝生マット２７が敷設されており、この芝生マット２７における芝生の根は、縦方向に延びる連続溝２３Ｂ及び土収納溝７の各列に対応させて配置されている。
【００３５】
このような屋上緑化構造１６においては、各緑化用パネル１における複数の嵩上げ部３に相当する分の土が減ることになり、屋上緑化構造１６の重量の低減を図ることができる。
【００３６】
また、この屋上緑化構造１６においては、各灌水パイプ２４から水が、敷き詰められた緑化用パネル１における縦方向Ｙに延びる土収納溝７及び連続溝２３Ｂ（灌水パイプ２４が収納されていない灌水パイプ収納溝４Ａ又は４Ｂが連続して構成されるもの）に供給される。縦方向Ｙに延びる土収納溝７のうち、各灌水パイプ２４を基準として屋上設置面の低い側に位置するものに関しては、屋上設置面の水勾配及び土収納溝７の内底面（１３Ａ，１３Ｂの代表符号として１３を用いる。）の傾斜に基づき、水は、図４，図６の矢印（水の流れを示す）に示すように、屋上設置面の低い側に向けて流れ、それに伴い、水がその土収納溝７内の土（図６においては図示略）に供給され、余った水は、排出孔９から排出される。一方、縦方向Ｙに延びる土収納溝７のうち、各灌水パイプ２４を基準として高い側に位置するものに関しては、屋上設置面の水勾配に勝る土収納溝７の内底面１３の傾斜に基づき、図４，図６の矢印に示すように、屋上設置面の高い側に向けて流れ、それに伴い、水がその土収納溝７内の土に供給され、余った水は、排出孔９から排出される。このため、土収納溝７に関しては、各灌水パイプ２４を基準として両側に灌水範囲を極力拡げると共に、水が土収納溝７内に過剰に貯水されて植物が根腐れを起こすことを防止できる。
【００３７】
また、縦方向Ｙに延びる連続溝２３Ｂに関しては、図４，図６の矢印に示すように、屋上設置面の水勾配に基づき、屋上設置面の低い側に向けて流れて排水される。この間、連続溝２３Ｂ内の土に水が供給され、余った水は、排水として、仕切用レンガ１９側へと流れる。
【００３８】
この結果、水が芝生マット２７における芝生の根に的確に供給され、芝生は、根腐れを起こすことなく順調に育成される。
【００３９】
また、屋上緑化構造１６においては、上述のように、灌水パイプ２４を横方向Ｘに延びる各連続溝２３Ａ内に収納して用いる態様に限らず、屋上の状態に応じて、図７，図８に示すように、灌水パイプ２４を縦方向Ｙに延びる各連続溝２３Ｂ内に収納して用いる態様がある。この場合には、各灌水パイプ２４からの水が、その各灌水パイプ２４を基準として横方向Ｘ両側において横方向Ｘに延びる各土収納溝７内に供給される。この水は、屋上設置面の水勾配に勝る土収納溝７の内底面１３の傾斜に基づき、図７，図８の矢印に示すように、横方向Ｘに積極的に流れる（浸透する）ことになり、それに伴い、水はその土収納溝７内の土（図８では図示略）に供給され、余った水は、排出孔９から排出される。このため、この場合においても、土収納溝７に関しては、各灌水パイプ２４を基準として横方向両側に灌水範囲を極力拡げると共に、水が土収納溝７内に過剰に貯水されて植物が根腐れを起こすことを防止できる。これにより、水が芝生マット２７における芝生の根に的確に供給され、芝生は順調に育成される。
尚、本実施形態においては、横方向Ｘに延びる連続溝２３Ａ（灌水パイプ２４が収納されていない灌水パイプ収納溝４Ａ又は４Ｂが連続して構成されるもの）にも、灌水パイプ２４から水が供給され、その連続溝２３Ａ（連続溝２３Ａ内の土）の下でも、植物が育成される。
【００４０】
図９〜図１８は第２実施形態を示す。この第２実施形態において、前記第１実施形態と同一構成要素については同一符号を付してその説明を省略する。
【００４１】
図９〜図１８に示す第２実施形態は、いわゆるポット植物（ポット苗）を育成する緑化用パネル１を示している。この第２実施形態においては、平面視正方形状の緑化用パネル１の上面に、前記第１実施形態同様、第１，第２灌水パイプ収納溝４Ａ，４Ｂが十字状に形成されており、その緑化用パネル１の上面は、第１，第２灌水パイプ収納溝４Ａ，４Ｂにより４つの領域Ｐ１〜Ｐ４に区画されている。各領域Ｐ１〜Ｐ４には、複数の嵩上げ部３が設けられて、それらの側面３ａにより植栽基盤材収納部としての土収納溝７が蛇行したような状態でそれぞれ形成されている。この各領域Ｐ１〜Ｐ４における土収納溝７は、第１及び第２灌水パイプ収納溝４Ａ，４Ｂに交差しており、その交差部分は、切り欠かれて、第１及び第２灌水パイプ収納溝４Ａ，４Ｂと各領域Ｐ１〜Ｐ４における土収納溝７とを連通させている。各領域Ｐ１〜Ｐ４における土収納溝７は、その内底面１３が第１及び第２灌水パイプ収納溝４Ａ，４Ｂの内底面４Ａａ，４Ｂａに対して段差をもって低くなっており、その各土収納溝７には、いわゆるポット植物２８（図１４参照）を収納できるようにすべく、略円筒状をなすポット植物収納部２９が複数形成されている。その各領域Ｐ１〜Ｐ４における略円筒状ポット植物収納部２９の内底面（土収納溝７の内底面）１３には、そのうちの１つ又は２つにおいて、排出孔９が形成されており、その１つの排出孔９については（領域Ｐ１，３）、第１及び第２灌水パイプ収納溝４Ａ，４Ｂから最も近い略円筒状ポット植物収納部２９の内底面１３に形成されている（図１１参照）。この場合、土収納溝７の内底面１３は、排出孔９を有するものの方が排出孔９を有しないものに比して低くなっており、その両者間における内底面１３は、図１２に示すように、傾斜面３０をもって形成されている（領域Ｐ１，Ｐ３参照）。本実施形態においては、上述の通り、１つの排出孔９を有する領域Ｐ１，Ｐ３に関しては、その排出孔９が第１及び第２灌水パイプ収納溝４Ａ，４Ｂから最も近い略円筒状ポット植物収納部２９の内底面１３に形成されているが、その排出孔９を、第１及び第２灌水パイプ収納溝４Ａ，４Ｂから最も遠い略円筒状ポット植物収納部２９の内底面に形成してもよい。灌水パイプ２４からの水の流れる範囲を拡げて、灌水範囲を極力拡大するためである。
尚、図９，図１１，図１２おいては、土の流失を防ぐ透水シート１１、その透水シート１１を排出孔９内の支持壁１０に押し付ける押さえ部材１２は省略されている。
【００４２】
本実施形態においては、各領域Ｐ１〜Ｐ４における土収納溝７内にできるだけ多くのポット植物２８を多く配置できるようにすべく、図１１に示すように、土収納溝７の溝端が緑化用パネル１の肉厚面から外部に開口されて、その土収納溝７の溝端部分が略半円筒状に形成されている。この略半円筒状の溝端部分３１は、隣り合うことになる別の緑化用パネル１における土収納溝の略半円筒状溝端部分３１と協働して、略円筒状のポット植物収納部２９を形成することになる。このような土収納溝７のうち、２つの溝端が略半円筒状溝端が緑化用パネル１の肉厚面から外部に開口されている場合（領域Ｐ２，Ｐ４）には、その各溝端よりも内側の略円筒状のポット植物収納部２９の内底面１３にそれぞれ排出孔１９が形成されている。この場合、その土収納溝７の内底面１３は、排出孔９を有するものの方が排出孔９を有しないものに比して低くなっている。
【００４３】
前記基板部２の下面（緑化用パネル１の下面）には、図１０に示すように、複数の排出溝１４が形成されている。各排出溝１４の内底面には、前記各排出孔９が開口されており、その各排出溝１４の溝端は、基板部２の肉厚面（周面）から外方に開口されている。また、この基板部２の下面には、各排出溝１４同士を互いに連絡する連絡溝３２が形成されている。このため、各排出孔９は、連絡溝３２及び各排出溝１４に連なることになり、複数の溝１４，３２を利用して水を排水できることになる。さらに、本実施形態においては、基板部２の下面側周縁部に切り欠き状の切り欠き段部３３が形成されている。このため、この切り欠き段部３３内には各排出溝１４の溝端が臨むことになると共に、緑化用パネル１が屋上設置面に敷き詰められた際、隣り合う各緑化用パネル１の下側周縁部に排出通路３５が形成されることになり、各排出溝１４の溝端からの排出性能が高まることになる（図１０，図１３参照）。
【００４４】
このような緑化用パネル１を屋上緑化構造１６に用いる場合も、図１４に示すように、前記第１実施形態同様、施工領域Ｓ内に緑化用パネル１が敷き詰められ、その各緑化用パネル１は、屋上のスラブ面１７に固定されている。この敷き詰められた緑化用パネル１には連続溝２３Ａ，２３Ｂが構成されており、本実施形態においては、そのうちの横方向Ｘに延びる連続溝２３Ａに、水を供給する灌水パイプ２４が収納されている。また、敷き詰められた緑化用パネル１における各ポット植物収納部２９内にはポット植物２８が収納されており、ポット植物２８は、ポット植物収納部２９により保持されている。この場合、ポット植物収納部２９に対するポット植物２８の収納数は、適宜、調整できることになっている。図１５は１平方メートル当たり１６個を収納した場合、図１６は１平方メートル当たり２４個を収納した場合、図１７は１平方メートル当たり３２個を収納した場合、図１８は１平方メートル当たり４８個を収納した場合を示している。この後、敷き詰められた緑化用パネル１の各溝７，２３Ａ，２３Ｂ内に土２５が充填され、その上からさらに覆土２６が施される。
【００４５】
この屋上緑化構造１６においては、各灌水パイプ２４からの水は、図１２の矢印に示すように、連続溝２３Ａが臨む土収納溝７内に落とし込むように供給され、その後、その水は、排出孔９へと流れる（領域Ｐ１，Ｐ３参照）。その間に、土収納溝７内に収納される土及びポット植物２８に水が的確に供給され、余った水は、排水として排出孔９から排出される。また、隣り合う他の緑化用パネル１からの水が、図１２の矢印（左向き矢印）に示すように、土収納溝７内に入り込むことがあるが、その場合には、その土収納溝７における内底面１３の傾斜面３０に案内されて排出孔９へ流れる（領域Ｐ１，Ｐ３参照）。この場合も、その間に、土収納溝７内に収納される土及びポット植物２８に水が的確に供給され、余った水は、排水として排出孔９から排出される。各緑化用パネル１の領域Ｐ２，Ｐ４に関しては、水が土収納溝７内に落とし込むように供給された後、その水は、連続溝２３Ａに最も近いポット植物収納部２９に設けられる排出孔９から排出される。尚、土収納溝７内には土が充填されるが、その土は、図１１，図１２においては、図示が略されている。
【００４６】
この屋上緑化構造１６においては、灌水パイプ２４を横方向Ｘに延びる各連続溝２３Ａ内に収納して用いる態様に限らず、屋上の状態に応じて、灌水パイプ２４を縦方向Ｙに延びる各連続溝２３Ｂ内に収納して用いることができるが、その態様の場合においても、上述の作用と同様のものとなる。
【００４７】
尚、本発明の目的は、明記されたものに限らず、実質的に好ましい或いは利点として記載されたものに対応したものを提供することをも含むものである。
【符号の説明】
【００４８】
１  緑化用パネル
２  基板部
２ｂ  基板部の下面
３  嵩上げ部
３Ａａ  周縁嵩上げ部の内側側面
３Ｂａ  内側嵩上げ部の外側側面
３ａ  嵩上げ部の側面
４Ａ  第１灌水パイプ収納溝（灌水パイプ収納溝）
４Ａａ  第１灌水パイプ収納溝の内底面
４Ｂ  第２灌水パイプ収納溝（灌水パイプ収納溝）
４Ｂａ  第２灌水パイプ収納溝の内底面
７Ａ，７Ａａ１，７Ａａ２，７Ａｂ１，７Ａｂ２  第１土収納溝（植栽基盤材収納部）
７Ｂ，７Ｂａ１，７Ｂａ２，７Ｂｂ１，７Ｂｂ２  第２土収納溝（植栽基盤材収納部）
９  排出孔
１３Ａ  第１土収納溝の内底面
１３Ｂ  第２土収納溝の内底面
１３  土収納溝の内底面
１４  排出溝
１６  屋上緑化構造
２３Ａ  横方向に延びる連続溝
２３Ｂ  縦方向に延びる連続溝
３０  傾斜面
３２  連絡溝
３３  切り欠き段部
【図１】
2012010671.tif 000003
【図２】
2012010671.tif 000004
【図３】
2012010671.tif 000005
【図４】
2012010671.tif 000006
【図５】
2012010671.tif 000007
【図６】
2012010671.tif 000008
【図７】
2012010671.tif 000009
【図８】
2012010671.tif 000010
【図９】
2012010671.tif 000011
【図１０】
2012010671.tif 000012
【図１１】
2012010671.tif 000013
【図１２】
2012010671.tif 000014
【図１３】
2012010671.tif 000015
【図１４】
2012010671.tif 000016
【図１５】
2012010671.tif 000017
【図１６】
2012010671.tif 000018
【図１７】
2012010671.tif 000019
【図１８】
2012010671.tif 000020